(57)【要約】【課題】一例として、静電気による影響がより低減されやすいテレビジョン受像機および電子機器を得る。【解決手段】実施形態にかかるテレビジョン受像機は、第一筐体と、部品と、壁部と、導電体と、を備えた。前記部品は、前記第一筐体との間に隙間をあけられた状態で前記第一筐体に取り付けられ、前記第一筐体の外部に露出された。前記壁部は、前記隙間に面した面を有して前記第一筐体に設けられ、前記隙間と前記第一筐体の内部とを連通した開口部が前記面に設けられた。前記導電体は、前記第一筐体の内面に設けられた。【選択図】図５
2014216933.tif 000002
【特許請求の範囲】
【請求項１】
第一筐体と、
前記第一筐体との間に隙間をあけられた状態で前記第一筐体に取り付けられ、前記第一筐体の外部に露出された部品と、
前記隙間に面した面を有して前記第一筐体に設けられ、前記隙間と前記第一筐体の内部とを連通した開口部が前記面に設けられた壁部と、
前記第一筐体の内面に設けられた導電体と、
を備えたテレビジョン受像機。
【請求項２】
導電部を有し前記第一筐体に結合された第一電気部品を備え、
前記開口部は、前記第一筐体の外部に面した前記隙間の端部から前記導電部へ向かう途中の位置の前記隙間に開口し、
前記端部と前記導電体との間の空間距離が、前記端部と前記導電部との間の空間距離よりも短い請求項１に記載のテレビジョン受像機。
【請求項３】
前記第一筐体には、前記第一電気部品を収容した収容部が設けられ、
前記部品は、前記第一電気部品を覆った覆部材である請求項２に記載のテレビジョン受像機。
【請求項４】
前記第一筐体内に収容された第二電気部品を備え、
前記第一電気部品は、前記部品としての第二筐体と、前記第二筐体から突出され前記第二筐体を介して前記第一筐体に結合されるとともに、前記第二電気部品と接続された前記導電部と、を有した請求項２に記載のテレビジョン受像機。
【請求項５】
前記部品は、タッチパネルである請求項１に記載のテレビジョン受像機。
【請求項６】
前記導電体の一部は、前記開口部内に設けられた請求項１ないし５のいずれか一項に記載のテレビジョン受像機。
【請求項７】
前記開口部は、当該開口部における前記第一筐体の内部側の端部に向かうにしたがい径が大きくなる拡径部を含む請求項１ないし６のいずれか一項に記載のテレビジョン受像機。
【請求項８】
前記導電体は、層状に設けられた請求項１ないし７のいずれか一項に記載のテレビジョン受像機。
【請求項９】
前記導電体は、スパッタリングによって設けられた請求項８に記載のテレビジョン受像機。
【請求項１０】
前記導電体は、前記内面に貼り付けられた請求項１ないし９のいずれか一項に記載のテレビジョン受像機。
【請求項１１】
前記第一筐体は、合成樹脂材料によって構成され前記部品との間に前記隙間をあけられた筐体部材を有した、請求項１ないし１０のいずれか一項に記載のテレビジョン受像機。
【請求項１２】
前記導電体は、基準電位点に電気的に接続された請求項１ないし１１のいずれか一項に記載のテレビジョン受像機。
【請求項１３】
筐体と、
前記筐体との間に隙間をあけられた状態で前記筐体に取り付けられ、前記筐体の外部に露出された部品と、
前記隙間に面した面を有して前記筐体に設けられ、前記隙間と前記筐体の内部とを連通した開口部が前記面に設けられた壁部と、
前記筐体の内面に設けられた導電体と、
を備えた電子機器。
【発明の詳細な説明】
【技術分野】
【０００１】
本発明の実施形態は、テレビジョン受像機および電子機器に関する。
【背景技術】
【０００２】
従来、筐体と、筐体の外部に露出されたカバーやバッテリ、タッチパネル等の部品と、を備えたテレビジョン受像機等の電子機器が知られている。
【先行技術文献】
【特許文献】
【０００３】
【特許文献１】特開平１１−１６７７６５号公報
【特許文献２】特開２０００−１０６２９７号公報
【発明の概要】
【発明が解決しようとする課題】
【０００４】
この種の電子機器では、一例としては、静電気による電子機器への影響をより低減できるのが望ましい。
【０００５】
そこで、本発明の実施形態は、一例として、静電気による影響がより低減されやすいテレビジョン受像機および電子機器を得ることを目的の一つとする。
【課題を解決するための手段】
【０００６】
実施形態にかかるテレビジョン受像機は、第一筐体と、部品と、壁部と、導電体と、を備えた。前記部品は、前記第一筐体との間に隙間をあけられた状態で前記第一筐体に取り付けられ、前記第一筐体の外部に露出された。前記壁部は、前記隙間に面した面を有して前記第一筐体に設けられ、前記隙間と前記第一筐体の内部とを連通した開口部が前記面に設けられた。前記導電体は、前記第一筐体の内面に設けられた。
【図面の簡単な説明】
【０００７】
【図１】図１は、第１実施形態にかかるテレビジョン受像機の一例を示す正面図である。
【図２】図２は、第１実施形態にかかるテレビジョン受像機の一例を示す側面図である。
【図３】図３は、第１実施形態にかかるテレビジョン受像機の一部の一例を示す背面図である。
【図４】図４は、第１実施形態にかかるテレビジョン受像機の一部の一例を示す背面図であって、筐体から覆部材が取り外された状態を示す図である。
【図５】図５は、図３のＦ５−Ｆ５断面の一部を示す図である。
【図６】図６は、図４のＦ６−Ｆ６断面の一部を示す図である。
【図７】図７は、第２実施形態にかかる電子機器の一例を示す斜視図である。
【図８】図８は、第２実施形態にかかる電子機器の一例を示す底面図である。
【図９】図９は、図８のＦ９−Ｆ９断面の一部を模式的に示す図である。
【図１０】図１０は、第２実施形態にかかる電子機器のバッテリのコネクタとその周囲との一例を示す底面図であって、筐体にバッテリが装着された状態を示す図である。
【図１１】図１１は、第２実施形態にかかる電子機器のバッテリのコネクタとその周囲との一例を示す底面図であって、筐体からバッテリが取り外された状態を示す図である。
【図１２】図１２は、第２実施形態にかかる電子機器の孔の一例を図１１のＦ１２方向から見て示す図である。
【図１３】図１３は、図９のＦ１３部分の一部を詳細に示す図である。
【図１４】図１４は、第３実施形態にかかる電子機器の一部を示す断面図である。
【図１５】図１５は、第４実施形態にかかる電子機器の一例を示す斜視図である。
【図１６】図１６は、第４実施形態にかかる電子機器の一例を示す断面図である。
【図１７】図１７は、第４実施形態にかかる電子機器の筐体の一例を示す正面図である。
【図１８】図１８は、第４実施形態にかかる電子機器の両面接着テープの一部の一例を示す正面図である。
【図１９】図１９は、第５実施形態にかかる電子機器の両面接着テープ列の一部の一例を示す正面図である。
【発明を実施するための形態】
【０００８】
以下の例示的な複数の実施形態には、同様の構成要素が含まれている。よって、以下では、同様の構成要素には共通の符号が付されるとともに、重複する説明が部分的に省略される。各実施形態に含まれる部分は、他の実施形態の対応する部分と置き換えて構成されることができる。また、各実施形態に含まれる部分の構成や位置等は、特に言及しない限りは、他の実施形態と同様である。また、各図では、便宜上、方向（Ｘ方向、Ｙ方向、Ｚ方向）が示されている。Ｘ方向は、筐体３Ａ、筐体３Ｂまたは筐体３Ｃの壁部３ｋに対する正面視（実施形態では平面視と称する）での長手方向、Ｙ方向は、筐体３Ａ、筐体３Ｂまたは筐体３Ｃの壁部３ｋに対する正面視（平面視）での短手方向、Ｚ方向は、筐体３Ａ、筐体３Ｂまたは筐体３Ｃの厚さ方向である。Ｘ方向、Ｙ方向、およびＺ方向は、相互に直交している。
【０００９】
また、以下の実施形態では、電子機器がテレビジョン受像機またはパーソナルコンピュータとして構成された場合が例示されるが、実施形態にかかる電子機器は、これらには限定されない。実施形態にかかる電子機器は、例えば、スマートフォンや、スマートブック、携帯電話機、ＰＤＡ（personal  digital  assistant）、映像表示装置、テレビ電話機、映像表示制御装置、情報記憶装置等の種々の電子機器として構成することができる。
【００１０】
＜第１実施形態＞
本実施形態では、一例として、図１，２に示されるように、電子機器の一例であるテレビジョン受像機１Ａは、支持部２Ａ（支部、台、スタンド）と、筐体３Ａ（第一筐体）と、を備える。具体的に、支持部２Ａは、机や、棚、台等の載置部（載置面、図示されず）上に載置され、筐体３Ａを起立された状態に支持する。支持部２Ａは、筐体３Ａを固定的に支持してもよいし、移動可能（回動可能、スライド可能）に支持してもよい。筐体３Ａの支持部２Ａに対する移動形態（回動形態）としては、例えばチルトや、スイベル、ピボット等がある。
【００１１】
また、本実施形態では、一例として、図１からわかるように、筐体３Ａは、正面視および背面視では四角形状（本実施形態では、一例として長方形状）の外観を呈している。また、図２に示されるように、筐体３Ａは、前後方向（筐体３Ａの厚さ方向、Ｚ方向）に薄い偏平な直方体状に構成されている。筐体３Ａは、面３ａ（正面、前面部）とその反対側の面３ｂ（背面、後面部、外面）と、を有する。面３ａと面３ｂとは略並行して（本実施形態では、一例として平行に）設けられている。また、図１に示されるように、筐体３Ａは、正面視では、四つの端部３ｃ〜３ｆ（辺部、縁部）と、四つの角部３ｇ〜３ｊ（尖部、曲部、端部）と、を有する。また、端部３ｃ，３ｅは、長辺部の一例である。端部３ｄ，３ｆは、短辺部の一例である。筐体３Ａは、一例としては、部品（図示されず）を収容する収容部として機能するとともに、重量物（表示装置４や部品等）を支える支部としても機能することができる。
【００１２】
また、筐体３Ａは、面３ａを有する壁部３ｋ（部分、プレート、フレーム、前壁部、表壁部、天壁部）と、面３ｂを有する壁部３ｍ（部分、プレート、後壁部、裏壁部、底壁部）と、を有する。壁部３ｋ，３ｍは、四角形状（本実施形態では、一例として長方形状）である。また、壁部３ｋは枠状であり、壁部３ｍは板状である。また、筐体３Ａは、壁部３ｋと壁部３ｍとの間に亘った面３ｐ（側面、周面）を有する四つの壁部３ｎ（部分、プレート、側壁部、端壁部、立壁部、亘部）を有する。壁部３ｋには、四角形状の開口部３ｒが設けられている。
【００１３】
さらに、筐体３Ａは、複数の部品（分割体、部材）が組み合わせられて構成されている。筐体３Ａは、一例としては、少なくとも壁部３ｋを含む第一部材３Ｆｒ（第一部分、前側部材、カバー、ベゼル、フレーム）と、少なくとも壁部３ｍを含む第二部材３Ｒｒ（第二部分、後側部材、ベース、ボトム、プレート、カバー）とを有する。また、壁部３ｎは、本実施形態では、一例として、第二部材３Ｒｒの一部として構成されている。なお、筐体３Ａは、第一部材３Ｆｒおよび第二部材３Ｒｒとは別に、第三部材（第三部分、中間部材、インナ、ミドルフレーム、ミドルプレート、図示されず）を備えることができる。第三部材の一部が、壁部３ｋ，３ｍ，３ｎの一部を構成することができる。第一部材３Ｆｒや、第三部材等は、それぞれ、金属材料や合成樹脂材料等で構成されることができる。また、本実施形態では、第二部材３Ｒｒは、一例として、合成樹脂材料（絶縁材料）によって構成される。
【００１４】
また、本実施形態では、一例として、筐体３Ａ内には、表示装置４（表示部、ディスプレイ、パネル、表示部品）が収容されている。具体的には、表示装置４の、面３ａ側に位置した表示画面４ａは、開口部３ｒを介して筐体３Ａの前方（外方）に露出している。使用者は、前方側から開口部３ｒを介して表示画面４ａを視認することができる。表示装置４は、正面視では四角形状（本実施形態では、一例として長方形状）の外観を呈している。また、表示装置４は、前後方向に薄い偏平な直方体状に構成されている。表示装置４は、例えば、液晶ディスプレイ（ＬＣＤ，Liquid  Crystal  Display）や、有機ＥＬディスプレイ（ＯＥＬＤ，Organic  Electro-Luminescent  Display）、プラズマディスプレイ（ＰＤＰ，Plasma  Display  Panel）等である。
【００１５】
また、本実施形態では、一例として、表示装置４の前側（表側、壁部３ｋ側）には、透明な比較的薄い四角形状の入力操作パネル５（一例としてはタッチパネル、タッチセンサ、操作面、入力操作部、入力受付部）が設けられている。入力操作パネル５は、表示画面４ａを覆っている。操作者（ユーザ等）は、例えば手指やスタイラス等によって、入力操作パネル５に対して、触れる、押す、擦る、あるいは入力操作パネル５の近傍で動かす等の操作を行うことで、入力処理を実行することができる。また、表示装置４の表示画面４ａから出た光は、入力操作パネル５を通過して壁部３ｋの開口部３ｒから筐体３Ａの前方（外方）へ出る。入力操作パネル５は、操作部（入力部）の一例である。また、本実施形態では、一例として、表示装置４および入力操作パネル５は、第一部材３Ｆｒ、第二部材３Ｒｒ、および第三部材のうちいずれかに、例えば、固定具（固定部品、例えば、ねじ、金具、部品等、図示されず）や接着部（例えば接着剤や両面テープ等、図示されず）を介して固定される（支持される）。
【００１６】
本実施形態では、一例として、図１に示されるように、筐体３Ａには、モジュール１１（電気部品、電子部品、取付部品、部品）が取り付けられている。モジュール１１は、本実施形態では、一例として、ＨＤＤ（hard  disk  drive）である。モジュール１１は、第一電気部品の一例である。なお、モジュール１１は、例えば、ＯＤＤ（optical  disk  drive）やＳＳＤ（solid  state  drive）等であってもよい。
【００１７】
モジュール１１は、筐体３Ａに着脱可能である。モジュール１１は、図３〜５に示されるように、筐体３Ａに設けられた収容部１６に収容され、図示しない結合具（ねじ）等によって筐体３Ａに結合（固定）されている。収容部１６に収容されたモジュール１１は、一例として、図３，５に示される覆部材１５によって覆われる。
【００１８】
モジュール１１は、一例として、扁平な直方体状の外観を呈している。モジュール１１は、筐体１１ａと、回路基板１１ｂ（基板、制御部、制御装置）と、を有する。筐体１１ａは、一例として、ディスク（図示せず）と、ディスクに対して情報を読み書きするヘッド機構（図示せず）と、を有している。筐体１１ａは、ディスクおよびヘッド機構とともに本体部を構成する。筐体１１ａは、一例として金属材料によって構成されうる。回路基板１１ｂは、筐体１１ａから露出した状態で筐体１１ａに固定されている。回路基板１１ｂは、ヘッド機構を駆動制御する。回路基板１１ｂは、覆部材１５に面する。筐体１１ａおよび回路基板１１ｂは、モジュール１１の外部に対して露出されている。本実施形態では、筐体１１ａおよび回路基板１１ｂとは、それぞれ導電部（導電部品、電気部品、部品）の一例である。
【００１９】
また、本実施形態では、収容部１６（モジュール収容部、筐体収容部、凹部）は、一例として、図４，５に示されるように、筐体３Ａの壁部３ｍ（面３ｂ）に凹状に設けられ、筐体３Ａの外部に向けて開口している。収容部１６の開口部１６ａの縁部である開口縁部１６ｉ（開口端部、端部）は、本実施形態では、一例として、四角形状となっている。
【００２０】
収容部１６は、一例として、段付きの凹状に設けられている。詳細には、収容部１６は、開口縁部１６ｉを含む凹部１６ｂ（第一凹部）と、凹部１６ｂに連設された凹部１６ｃ（第二凹部）と、を有する。凹部１６ｂは、底面１６ｄ（面）と、底面１６ｄの縁部から開口縁部１６ｉへ至る四角筒状の面１６ｅ（筒面）と、を有している。凹部１６ｃは、凹部１６ｂの底面１６ｄに凹状に設けられている。凹部１６ｃの開口縁部１６ｆは、一例として、四角形状である。凹部１６ｃは、底面１６ｇ（面）と、底面１６ｇの縁部から開口縁部１６ｆ（底面１６ｄ）に至る四角筒状の面１６ｈ（筒面）と、を有している。収容部１６では、凹部１６ｃの底面１６ｇにモジュール１１の筐体１１ａが面した状態で、モジュール１１が収容されている。モジュール１１は、一例として、面１６ｈと離間した状態で底面１６ｇに固定されている。また、底面１６ｄと面１６ｅとは、覆部材１５に隙間１８Ａをあけて面している。つまり、本実施形態では、一例として、底面１６ｄと面１６ｅとは、隙間１８Ａに面している。なお、便宜上、図３等では、隙間１８Ａが誇張されて示されている。
【００２１】
本実施形態では、収容部１６は、壁部３ｍの一部を構成しており、壁部３ｍは、隙間１８Ａに面した底面１６ｄおよび面１６ｅを有して筐体３Ａに設けられた壁部の一例である。また、第二部材３Ｒｒは、合成樹脂材料によって構成され覆部材１５との間に隙間１８Ａをあけられた筐体部材の一例である。
【００２２】
本実施形態では、覆部材１５（覆部、板状部材、蓋、蓋部材、プレート、壁部、部材、部品）は、一例として、図３，５に示されるように、四角形状の板状に構成されている。覆部材１５は、一例として、収容部１６の凹部１６ｂ内に位置されて、開口部１６ａの一部を塞ぐとともに、モジュール１１を覆っている。覆部材１５は、一例として、筐体３Ａの壁部３ｍ（例えば、収容部１６の開口縁部１６ｉ）に爪等の引っ掛かり部によって着脱可能に取り付けられる（結合される）。覆部材１５は、筐体３Ａ（底面１６ｄ、面１６ｅ）との間に隙間１８Ａをあけられた状態で筐体３Ａに取り付けられ、筐体３Ａの外部に露出されている。隙間１８Ａは、筐体３Ａと覆部材１５との間に、一例として部分的に設けられる。覆部材１５は、筐体３Ａの外部に露出された部品の一例である。覆部材１５は、一例として、合成樹脂材料（絶縁材料）によって構成されている。
【００２３】
また、本実施形態では、一例として、図３〜６に示されるように、壁部３ｍ（収容部１６）には、貫通孔３ｓが設けられている。貫通孔３ｓは、一例として、複数設けられている。複数の貫通孔３ｓは、モジュール１１の周囲に相互に間隔をあけて設けられている。貫通孔３ｓは、隙間１８Ａと筐体３Ａの内部３ｕ（内部空間、収容室、室）とに開口して、隙間１８Ａと筐体３Ａの内部３ｕとを連通している。貫通孔３ｓは、隙間１８Ａにおいて筐体３Ａの外部に面した（臨んだ、露出された）端部１８ａ（図５）から筐体１１ａや回路基板１１ｂに向かう途中の位置の隙間１８Ａに開口している。貫通孔３ｓは、一例として、壁部３ｍに設けられた凹部１６ｂの底面１６ｄ（第一面）と、底面１６ｄの反対側の壁部３ｍの内面３ｔ１（第二面）とを貫通している。内面３ｔ１は、筐体３Ａ（壁部３ｍ）の内面３ｔを構成する。貫通孔３ｓの断面は、一例として円である。なお、貫通孔３ｓの断面は、例えば、長孔状や楕円や多角形等であってもよい。
【００２４】
また、本実施形態では、一例として、図５，６に示されるように、壁部３ｍを含む筐体３Ａの内面３ｔには、導電体１９（導電層、導電膜、金属層、金属膜、金属部）が設けられている。導電体１９は、一例として、層状（膜状）に設けられている。導電体１９は、内面３ｔに接している。導電体１９は、一例として、貫通孔３ｓに臨んで設けられている。導電体１９には、貫通孔３ｓと連通した貫通孔１９ａが設けられている。導電体１９は、一例として、内面３ｔに部分的に設けられている。なお、導電体１９は、内面３ｔの全域に設けられていてもよい。導電体１９は、導電性材料によって構成されて、導電性を有している。導電性材料は、例えばアルミニウム等の金属材料である。導電体１９は、一例として、スパッタリングによって設けられた。また、本実施形態では、一例として、図６に示されるように、導電体１９の一部が、貫通孔３ｓに入り込んでいる（設けられている）。これは、一例として、スパッタリングの際に導電体１９の材料が貫通孔３ｓに入り込んだ（回り込んだ）ことによる。なお、図６では、一例として、複数の貫通孔３ｓの一つに導電体１９の一部が入り込んだ例が示されているが、複数の貫通孔３ｓの全て（二つ以上）に導電体１９の一部が入り込んでいてもよい。なお、導電体１９は、貫通孔３ｓに入り込んでいなくてもよい。また、導電体１９は、金属シート（シート）等によって構成されてもよい。
【００２５】
また、本実施形態では、図５に示されるように、隙間１８Ａの端部１８ａと導電体１９との間の空間距離が、隙間１８Ａの端部１８ａとモジュール１１の回路基板１１ｂとの間の空間距離よりも短い。この空間距離は、一例として、端部１８ａのある位置から、凹部１６ｂの底面１６ｄ側に位置された覆部材１５の縁部１５ａ（端部）を経由して、回路基板１１ｂの覆部材１５側の縁部１１ｃに至る経路の距離である。また、本実施形態では、隙間１８Ａの端部１８ａと導電体１９との間の空間距離が、隙間１８Ａの端部１８ａとモジュール１１の筐体１１ａとの間の空間距離よりも短い。
【００２６】
導電体１９は、一例として、外部電源ケーブルと接続される電源端子部のグラウンド端子２０に電気的に接続される。電源端子部から供給される電力によってテレビジョン受像機１Ａが動作する。電源端子部は、一例として、壁部３ｍから露出されている。グラウンド端子２０は、基準電位点（グラウンド部）の一例である。導電体１９は、例えば、導電部材等を介してグラウンド端子２０に電気的に接続されうる。
【００２７】
また、本実施形態では、一例として、筐体３Ａ内には、回路基板１７等の複数の部品（素子、電子部品、電気部品）が収容されている。回路基板１７（基板、制御基板、メイン基板、電気部品）に実装された部品等によって、制御回路（図示されず）の少なくとも一部が構成されている。制御回路は、例えば、映像信号処理回路や、チューナ部、ＨＤＭＩ（登録商標：high-definition  multimedia  interface）信号処理部、ＡＶ（audio  video）入力端子、リモコン信号受信部、制御部、セレクタ、オンスクリーンディスプレイインタフェース、記憶部（例えば、ＲＯＭ（read  only  memory）、ＲＡＭ（random  access  memory）、ＨＤＤ（hard  disk  drive）等）、音声信号処理回路等を、含むことができる。制御回路は、表示装置４の表示画面４ａでの映像（動画や静止画等）の出力や、スピーカ（図示されず）での音声の出力、ＬＥＤ（light  emitting  diode、図示されず）での発光等を制御する。表示装置４や、スピーカ、ＬＥＤ等は、出力部の一例である。回路基板１７には、モジュール１１が電気的に接続されている。
【００２８】
以上の構成のテレビジョン受像機１Ａにおいて、一例として、テレビジョン受像機１Ａの外部から隙間１８Ａ（図５）に進入した静電気は、隙間１８Ａに沿って移動し、貫通孔３ｓを介して導電体１９へ移動する。即ち、本実施形態では、貫通孔３ｓが、静電気を導電体１９へ案内（誘導）する案内経路（誘導経路）として機能する。この際、静電気は、面１６ｅや底面１６ｄ上を移動しうる。このように、隙間１８Ａに入った静電気が貫通孔３ｓから導電体１９へ向かうため、貫通孔３ｓの先にあるモジュール１１の回路基板１１ｂや筐体１１ａに静電気が到達するのが抑制される。図５中の矢印２１Ａは、静電気の移動経路の一例を模式的に示している。また、本実施形態では、導電体１９へ移動した静電気は、グラウンド端子２０へ移動する。
【００２９】
以上説明したとおり、本実施形態では、筐体３Ａと覆部材１５との間の隙間１８Ａに面した面１６ｄに、隙間１８Ａと筐体３Ａの内部３ｕとを連通した貫通孔３ｓが設けられ、導電体１９が筐体３Ａの内面３ｔに接して設けられている。したがって、本実施形態によれば、一例として、テレビジョン受像機１Ａの外部から隙間１８Ａに進入した静電気が、隙間１８Ａおよび貫通孔３ｓを介して導電体１９へ移動するので、該静電気がモジュール１１へ移動するのを抑制することができる。よって、本実施形態によれば、一例として、モジュール１１（保護対象）に対する静電気による影響を低減することができる。
【００３０】
また、本実施形態では、貫通孔３ｓは、筐体３Ａの外部に面した隙間１８Ａの端部１８ａから筐体１１ａおよび回路基板１１ｂへ向かう途中の位置の隙間１８Ａに開口している。また、隙間１８Ａの端部１８ａと導電体１９との間の空間距離が、隙間１８Ａの端部１８ａとモジュール１１の回路基板１１ｂ（や筐体１１ａ）との間の空間距離よりも短い。したがって、本実施形態によれば、隙間１８Ａに入った静電気が回路基板１１ｂ（や筐体１１ａ）へ移動するのを抑制することができる。
【００３１】
また、本実施形態では、導電体１９は、層状に設けられている。したがって、本実施形態によれば、比較的小さいスペースで筐体３Ａに導電体１９を設けることができる。
【００３２】
また、本実施形態では、導電体１９は、スパッタリングによって設けられた。したがって、本実施形態によれば、比較的強固に導電体１９が筐体３Ａに結合されている。
【００３３】
また、本実施形態では、導電体１９は、グラウンド端子２０に電気的に接続されている。したがって、本実施形態によれば、静電気が導電体１９からグラウンド端子２０へ移動するので、導電体１９に静電気が溜まることを抑制することができる。
【００３４】
＜第２実施形態＞
本実施形態にかかる電子機器１Ｂは、例えば、所謂ノートブック型（クラムシェル型）のパーソナルコンピュータである。また、本実施形態の電子機器１Ｂは、テレビジョン受像機としての機能を有する。本実施形態では、一例として、図７に示されるように、電子機器１Ｂは、筐体３Ｂと筐体２Ｂ（別の筐体）とを備える。筐体３Ｂ（第一部分）は、回路基板１７（図９参照）を収容する。筐体３Ｂは、第一筐体の一例である。筐体２Ｂ（第二部分）は、表示装置４の少なくとも一部を収容する。筐体３Ｂには、キーボード６（入力操作部、入力受付部、入力部）や、タッチパッド７（入力操作部、入力受付部、入力部）、クリックボタン８（入力操作部、入力受付部、入力部）等が設けられる。
【００３５】
筐体３Ｂと筐体２Ｂとは、ヒンジ部９（接続部、連結部、回動支持部、ヒンジ機構、接続機構、連結機構、回動支持機構）によって回動可能に接続されている。筐体３Ｂおよび筐体２Ｂは、ヒンジ部９により、少なくとも図７に示される展開状態と、図示されない折り畳み状態との間で回動可能に接続されている。本実施形態では、一例として、ヒンジ部９は、筐体３Ｂと筐体２Ｂとを、回動軸Ａｘ回りに回動可能に、接続している。表示装置４の表示画面４ａは、筐体２Ｂの面２ａ（正面、面部）に設けられた開口部２ｒから露出している。また、キーボード６や、タッチパッド７、クリックボタン８等は、筐体３Ｂの面３ａ（上面、正面、第一面、第一面部）に露出している。折り畳み状態では、筐体３Ｂの面３ａと筐体２Ｂの面２ａとが重なり、表示画面４ａや、キーボード６、タッチパッド７、クリックボタン８等が、筐体３Ｂおよび筐体２Ｂに隠される。展開状態では、筐体３Ｂの面３ａおよび筐体２Ｂの面２ａが露出され、表示画面４ａや、キーボード６、タッチパッド７、クリックボタン８等が使用可能（視認可能あるいは操作可能）になる。なお、図７では、キーボード６のキーは一部のみ示されている。
【００３６】
筐体２Ｂは、本実施形態では、一例として、図７からわかるように、正面視および背面視では四角形状（本実施形態では、一例として長方形状）の外観を呈している。また、筐体２Ｂは、本実施形態では、一例として、前後方向（筐体２Ｂの厚さ方向）に薄い扁平な直方体状に構成されている。筐体２Ｂは、面２ａとこの反対側の面２ｂ（後面、背面部）と、を有する。面２ａと面２ｂとは略並行して（本実施形態では、一例として平行に）設けられている。また、筐体２Ｂは、正面視では、四つの端部２ｃ〜２ｆ（辺部、縁部）と、四つの角部２ｇ〜２ｊ（尖部、曲部、端部）と、を有する。端部２ｃ，２ｅは、長辺部の一例である。また、端部２ｄ，２ｆは、短辺部の一例である。
【００３７】
また、筐体２Ｂは、面２ａを有する壁部２ｋ（部分、プレート、フレーム、前壁部、表壁部、天壁部）と、面２ｂを有する壁部２ｍ（部分、プレート、後壁部、裏壁部、底壁部）と、を有する。壁部２ｋ，２ｍは、四角形状（本実施形態では、一例として長方形状）である。また、壁部２ｋは枠状であり、壁部２ｍは板状である。また、筐体２Ｂは、壁部２ｋと壁部２ｍとの間に亘った面２ｐ（側面、周面）を有する四つの壁部２ｎ（部分、プレート、側壁部、端壁部、立壁部、亘部）を有する。壁部２ｋには、四角形状の開口部２ｒが設けられている。
【００３８】
さらに、筐体２Ｂは、複数の部品（分割体、部材）が組み合わせられて構成されている。筐体２Ｂは、一例としては、少なくとも壁部２ｋを含む第一部材２Ｆｒ（第一部分、前側部材、カバー、ベゼル、フレーム）と、少なくとも壁部２ｍを含む第二部材２Ｒｒ（第二部分、後側部材、ベース、ボトム、プレート、カバー）とを有する。また、壁部２ｎは、本実施形態では、一例として、第二部材２Ｒｒの一部として構成されている。第一部材２Ｆｒや、第二部材２Ｒｒ等は、それぞれ、金属材料や合成樹脂材料等で構成されることができる。
【００３９】
また、本実施形態では、一例として、筐体２Ｂ内には、表示装置４（表示部、ディスプレイ、パネル、表示部品）が収容されている。具体的には、表示装置４の、面２ａ側に位置した表示画面４ａは、開口部２ｒを介して筐体２Ｂの前方（外方）に露出している。使用者は、前方側から開口部２ｒを介して表示画面４ａを視認することができる。表示装置４は、正面視では四角形状（本実施形態では、一例として長方形状）の外観を呈している。また、表示装置４は、前後方向に薄い偏平な直方体状に構成されている。表示装置４は、例えば、液晶ディスプレイ（ＬＣＤ，Liquid  Crystal  Display）や、有機ＥＬディスプレイ（ＯＥＬＤ，Organic  Electro-Luminescent  Display）、プラズマディスプレイ（ＰＤＰ，Plasma  Display  Panel）等である。
【００４０】
また、本実施形態では、一例として、表示装置４の前側（表側、壁部２ｋ側）には、透明な比較的薄い四角形状の入力操作パネル５（一例としてはタッチパネル、タッチセンサ、操作面、入力操作部、入力受付部、操作部）が設けられている。入力操作パネル５は、表示画面４ａを覆っている。操作者（ユーザ等）は、例えば手指やスタイラス等によって、入力操作パネル５に対して、触れる、押す、擦る、あるいは入力操作パネル５の近傍で動かす等の操作を行うことで、入力処理を実行することができる。また、表示装置４の表示画面４ａから出た光は、入力操作パネル５を通過して壁部２ｋの開口部２ｒから筐体２Ｂの前方（外方）へ出る。入力操作パネル５は、操作部（入力部）の一例である。また、本実施形態では、一例として、表示装置４および入力操作パネル５は、第一部材２Ｆｒおよび第二部材２Ｒｒのうちいずれかに、例えば、固定具（固定部品、例えば、ねじ、金具、部品等、図示されず）や接着部（例えば接着剤や両面テープ等、図示されず）を介して固定される（支持される）。
【００４１】
一方、筐体３Ｂは、本実施形態では、一例として、図７，８からわかるように、正面視および背面視では四角形状（本実施形態では、一例として長方形状）の外観を呈している。また、筐体３Ｂは、本実施形態では、一例として、上下方向（筐体３Ｂの厚さ方向、Ｚ方向）に薄い扁平な直方体状に構成されている。筐体３Ｂは、面３ａ（上面、正面部）とその反対側の面３ｂ（下面、背面部）と、を有する。面３ａと面３ｂとは略並行して（本実施形態では、一例として平行に）設けられている。また、筐体３Ｂは、平面視では、四つの端部３ｃ〜３ｆ（辺部、縁部）と、四つの角部３ｇ〜３ｊ（尖部、曲部、端部）と、を有する。また、端部３ｃ，３ｅは、長辺部の一例である。また、端部３ｄ，３ｆは、短辺部の一例である。筐体３Ｂは、一例としては、回路基板１７等の部品を収容する収容部として機能するとともに、重量物（部品等）を支える支部としても機能することができる。
【００４２】
また、筐体３Ｂは、面３ａを有する壁部３ｋ（部分、プレート、フレーム、上壁部、表壁部、天壁部）と、面３ｂを有する壁部３ｍ（部分、プレート、下壁部、裏壁部、底壁部）と、を有する。壁部３ｋ，３ｍは、四角形状（本実施形態では、一例として長方形状）である。壁部３ｋは枠状であり、壁部３ｍは板状である。また、筐体３Ｂは、壁部３ｋと壁部３ｍとの間に亘った面３ｐ（側面、周面）を有する四つの壁部３ｎ（部分、プレート、側壁部、端壁部、立壁部、亘部）を有する。壁部３ｋには、四角形状の開口部３ｒが設けられている。
【００４３】
さらに、筐体３Ｂは、複数の部品（分割体、部材）が組み合わせられて構成されている。筐体３Ｂは、一例としては、少なくとも壁部３ｋを含む第一部材３Ｕｐ（第一部分、上側部材、カバー、マスク、プレート）と、少なくとも壁部３ｍを含む第二部材３Ｌｗ（第二部分、下側部材、ベース、ボトム、プレート、カバー）とを有する。また、壁部３ｎは、本実施形態では、一例として、第二部材３Ｌｗの一部として構成されている。なお、筐体３Ｂは、第一部材３Ｕｐおよび第二部材３Ｌｗとは別に、これらの間に位置した第三部材（第三部分、中間部材、インナ、ミドルフレーム、ミドルプレート、図示されず）を備えることができる。第三部材の一部が、壁部３ｋ，３ｍ，３ｎの一部を構成することができる。本実施形態では、一例として、第一部材３Ｕｐや第三部材等は、それぞれ、合成樹脂材料や金属材料で構成されうる。また、本実施形態では、一例として、第二部材３Ｌｗは、合成樹脂材料（絶縁材料）で構成されている。
【００４４】
そして、本実施形態では、一例として、図９に示されるように、筐体３Ｂ内には、一つ以上の回路基板１７（基板、制御基板、メイン基板、電気部品）が収容されている。回路基板１７は、キーボード６（図７参照）と並行して（本実施形態では、一例として平行に）設けられている。
【００４５】
また、本実施形態では、一例として、図８に示されるように、筐体３Ｂには、バッテリ３０（電気部品、電子部品、取付部品、部品）が取り付けられている（結合されている）。バッテリ３０は、一例として、リチウムイオン二次電池として構成されることができる。バッテリ３０は、筐体３Ｂに結合された第一電気部品の一例である。
【００４６】
バッテリ３０は、一例として、図８に示されるように、筐体３Ｂに着脱可能である。バッテリ３０は、図８，９に示されるように、筐体３Ｂに設けられた収容部３１に収容されている。バッテリ３０は、筐体３Ｂから露出されている。
【００４７】
バッテリ３０は、一例として、概略扁平な直方体状の外観を呈した筐体３０ａと、筐体３０ａから突出されたコネクタ３０ｂ（端子部、電気部品）と、を有する。
【００４８】
筐体３０ａは、蓄電部や回路基板等を収容している。筐体３０ａは、一例として、爪等の引っ掛かり部によって筐体３０Ｂに着脱可能に取り付けられる（結合される）。筐体３０ａは、筐体３Ｂの外部に露出されている。また、筐体３０ａは、図９，１０に示されるように、筐体３Ｂとの間に隙間１８Ｂをあけられた状態で筐体３Ｂに取り付けられている。筐体３０ａは、一例として、合成樹脂材料（絶縁材料）によって構成されている。筐体３０ａは、第二筐体（部品）の一例である。コネクタ３０ｂは、筐体３０ａに固定されており、筐体３０ａを介して筐体３Ｂに結合される。なお、便宜上、図９等では、隙間１８Ｂが誇張されて示されている。
【００４９】
コネクタ３０ｂは、図９〜１１に示されるように、筐体３０ａの面３０ｄ（側面）から突出されている。コネクタ３０ｂは、複数のピン３０ｃ（端子）を有している。複数のピン３０ｃは、相互に間隔をあけて並列されている。複数のピン３０ｃには、一例として、通信用や電力用が含まれる。本実施形態では、一例として、複数のピン３０ｃのうちの一つは、グラウンドピン（以後、グラウンドピン３０ｃ１ともいう）である。複数のピン３０ｃのうちグラウンドピン３０ｃ１以外のピン３０ｃ２は、複数設けられている。コネクタ３０ｂは、回路基板１７に電気的に接続される。詳細には、コネクタ３０ｂは、回路基板１７に実装されたコネクタに結合されて、回路基板１７に電気的に接続される。コネクタ３０ｂは、バッテリ３０の外部に対して露出している。コネクタ３０ｂは、導電部（導電部品、電気部品、部品）の一例である。
【００５０】
また、本実施形態では、収容部３１（モジュール収容部、筐体収容部、凹部）は、一例として、図８，９に示されるように、筐体３Ｂの壁部３ｍ（面３ｂ）と壁部３ｎ（一例として後側の壁部３ｎ）とに亘って凹状に設けられて筐体３Ｂの外部に向けて開口している。収容部３１の開口部３１ａの縁部である開口縁部３１ｂ（開口端部、端部）は、本実施形態では、壁部３ｍ，３ｎに亘っている。
【００５１】
収容部３１は、一例として、壁部３ｍから延出された面３１ｃと、壁部３ｎから延出された面３１ｄとを有している。また、収容部３１は、面３１ｃを有して壁部３ｍから延出された壁部３１ｅと、面３１ｄを有して壁部３ｎから延出された壁部３１ｆと、を有している。収容部３１では、面３１ｃにバッテリ３０（筐体３０ａ）の面３０ｄが隙間１８Ｂをあけた状態で、バッテリ３０が収容されている。つまり、面３１ｃは、バッテリ３０（筐体３０ａ）の面３０ｄと隙間１８Ｂをあけて面している。本実施形態では、壁部３１ｅは、隙間１８Ｂに面した面３１ｃを有して筐体３Ｂに設けられた壁部の一例である。また、本実施形態では、第二部材３Ｌｗは、合成樹脂材料によって構成され筐体３０ａとの間に隙間１８Ｂをあけられた筐体部材の一例である。
【００５２】
また、本実施形態では、一例として、図９〜１３に示されるように、壁部３１ｅ（収容部３１）には、貫通孔３ｓが設けられている。貫通孔３ｓは、一例として、複数設けられている。複数の貫通孔３ｓは、相互に間隔をあけて設けられている。貫通孔３ｓは、隙間１８Ｂと筐体３Ｂの内部３ｕ（内部空間、収容室、室）とに開口して、隙間１８Ｂと筐体３Ｂの内部３ｕとを連通している。貫通孔３ｓは、隙間１８Ｂにおいて筐体３Ｂの外部に面した（臨んだ、露出された）端部１８ａからコネクタ３０ｂに向かう途中の位置の隙間１８Ｂに開口している。貫通孔３ｓは、一例として、壁部３１ｅの面３１ｃと、壁部３１ｅにおける面３１ｃの反対側の面３ｔ２（内面）とを貫通している。ここで、面３ｔ２は、筐体３Ｂの内面３ｔを構成する。貫通孔３ｓの断面は、一例として円である。なお、貫通孔３ｓの断面は、例えば、長孔状や楕円や多角形等であってもよい。
【００５３】
また、本実施形態では、一例として、図１３に示されるように、壁部３ｍの内面３ｔ２を含む筐体３Ｂの内面３ｔには、導電体１９（導電層、導電膜、金属層、金属膜、金属部）が設けられている。導電体１９は、一例として、層状（膜状）に設けられている。導電体１９は、筐体３Ｂの内面３ｔに接している。導電体１９は、一例として、貫通孔３ｓに臨んで設けられている。導電体１９には、貫通孔３ｓと連通した貫通孔１９ａが設けられている。導電体１９は、一例として、内面３ｔに部分的に設けられている。なお、導電体１９は、内面３ｔの全域に設けられていてもよい。導電体１９は、導電性材料によって構成されて、導電性を有している。導電性材料は、例えばアルミニウム等の金属材料である。導電体１９は、一例として、スパッタリングによって設けられた。なお、導電体１９は、金属シート（シート）によって構成されてもよい。
【００５４】
また、本実施形態では、隙間１８Ｂの端部１８ａと導電体１９との間の空間距離が、隙間１８Ｂの端部１８ａとコネクタ３０ｂ（一例として、通信用のピン３０ｃ２）との間の空間距離よりも短い。
【００５５】
導電体１９は、一例として、外部電源ケーブルと接続される電源端子部のグラウンド端子２０（図８）に電気的に接続される。グラウンド端子２０は、基準電位点（グラウンド部）の一例である。導電体１９は、例えば、導電部材等を介してグラウンド端子２０に電気的に接続されうる。また、本実施形態では、導電体１９は、コネクタ３０ｂのグラウンドピン３０ｃ１にも接続される。グラウンドピン３０ｃ１は、基準電位点（グラウンド部）の一例である。導電体１９は、例えば、導電部材等を介してグラウンドピン３０ｃ１に電気的に接続されうる。本実施形態では、電源端子部に外部電源ケーブルが接続されていない場合は、グラウンドピン３０ｃ１に静電気が移動する。
【００５６】
また、本実施形態では、一例として、回路基板１７には、例えば、ＣＰＵ（central  processing  unit）や、グラフィックコントローラ、電源回路部品、ＰＣＨ（platform  controller  hub）、メモリスロットコネクタ、ＬＣＤコネクタ、Ｉ／Ｏ（input/output）コネクタ、電源コイル、素子、コネクタ等の複数の部品（図示されず）を実装することができる。また、制御回路は、例えば、映像信号処理回路や、チューナ部、ＨＤＭＩ（high-definition  multimedia  interface）信号処理部、ＡＶ（audio  video）入力端子、リモコン信号受信部、制御部、セレクタ、オンスクリーンディスプレイインタフェース、記憶部（例えば、ＲＯＭ（read  only  memory）、ＲＡＭ（random  access  memory）、ＨＤＤ（hard  disk  drive）、ＳＳＤ（solid  state  drive）等）、音声信号処理回路等を、含むことができる。制御回路は、表示装置４の表示画面４ａでの映像（動画や静止画等）の出力や、スピーカ（図示されず）での音声の出力、ＬＥＤ（light  emitting  diode、図示されず）での発光等を制御する。表示装置４や、スピーカ、ＬＥＤ等は、出力部の一例である。本実施形態では、回路基板１７は、第二電気部品の一例である。
【００５７】
以上の構成の電子機器１Ｂにおいて、例えば、電子機器１Ｂの外部から隙間１８Ｂに進入した静電気は、隙間１８Ｂに沿って移動して、貫通孔３ｓを介して導電体１９へ移動する。即ち、本実施形態では、貫通孔３ｓが、静電気を導電体１９へ案内（誘導）する案内経路（誘導経路）として機能する。この際、静電気は、面３１ｃ上を移動しうる。この際、静電気は、貫通孔３ｓから導電体１９へ向かうため、貫通孔３ｓの先にあるコネクタ３０ｂに静電気が到達するのが抑制される。図１３中の矢印２１Ｂは、静電気の移動経路の一例を模式的に示している。また、本実施形態では、導電体１９へ移動した静電気は、グラウンド端子２０やグラウンドピン３０ｃ１へ移動する。
【００５８】
以上説明したとおり、本実施形態では、筐体３Ｂとバッテリ３０の筐体３０ａとの間の隙間１８Ｂに面した面３１ｃに、隙間１８Ｂと筐体３Ｂの内部３ｕとを連通した貫通孔３ｓが設けられ、導電体１９が筐体３Ｂの内面３ｔに接して設けられている。したがって、本実施形態によれば、一例として、電子機器１Ｂの外部から隙間１８Ｂに進入した静電気が、隙間１８Ｂおよび貫通孔３ｓを介して導電体１９へ移動するので、該静電気がコネクタ３０ｂ（ピン３０ｃ２）へ移動するのを抑制することができる。よって、本実施形態によれば、静電気がコネクタ３０ｂ（ピン３０ｃ２）を介して回路基板１７に移動するのを抑制することができるので、一例として、回路基板１７（保護対象）に対する静電気による影響を低減することができる。
【００５９】
また、本実施形態では、貫通孔３ｓは、筐体３Ｂの外部に面した隙間１８Ｂの端部１８ａからコネクタ３０ｂ（ピン３０ｃ２）へ向かう途中の位置の隙間１８Ｂに開口し、隙間１８Ｂの端部１８ａと導電体１９との間の空間距離が、隙間１８Ｂの端部１８ａとコネクタ３０ｂ（ピン３０ｃ２）との間の空間距離よりも短い。したがって、本実施形態によれば、隙間１８Ｂに入った静電気がコネクタ３０ｂ（ピン３０ｃ２）へ移動するのを抑制することができる。
【００６０】
また、本実施形態では、導電体１９は、グラウンド端子２０およびグラウンドピン３０ｃ１に電気的に接続される。したがって、本実施形態によれば、静電気が導電体１９からグラウンド端子２０やグラウンドピン３０ｃ１へ移動するので、導電体１９に静電気が溜まることを抑制することができる。
【００６１】
＜第３実施形態＞
本実施形態では、一例として、図１４に示されるように、電子機器１Ｂの貫通孔３ｓおよび導電体１９が第２実施形態と異なる。なお、他の部位は、第２実施形態の電子機器１Ｂと同様である。
【００６２】
貫通孔３ｓは、当該貫通孔３ｓにおける筐体３Ｂの内部３ｕ側の端部３ｓ１に向かうにしたがい径が大きくなる拡径部３ｓ２（部分）を含む。また、本実施形態では、導電体１９が、第２実施形態と同様に、筐体３Ｂの内面３ｔに設けられているとともに、導電体１９の一部１９ｂは、貫通孔３ｓ内に設けられている（延出している）。本実施形態では、一例として、貫通孔３ｓの端部３ｓ１から貫通孔３ｓの途中部分まで導電体１９が設けられている。なお、導電体１９は、貫通孔３ｓを貫通して面３１ｃにも延出して設けられてもよい。導電体１９は、第２実施形態と同様に、スパッタリングによって設けられている。本実施形態では、貫通孔３ｓの拡径部３ｓ２により、スパッタリングの際に、導電体１９を構成する材料が貫通孔３ｓ内に入り込み易くなっている。
【００６３】
以上説明した本実施形態によれば、第２実施形態と同様の効果を奏することができるとともに、貫通孔３ｓ内に導電体１９が設けられていることにより、静電気が導電体１９へより移動し易いという利点がある。
【００６４】
＜第４実施形態＞
本実施形態にかかる電子機器１Ｃは、例えば、所謂スレート型、タブレット型、ソフトキーボードの機能を有した表示装置等の、パーソナルコンピュータ、テレビジョン受像機、スマートフォン、スマートブック、携帯電話機、ＰＤＡ等である。
【００６５】
本実施形態では、一例として、図１５からわかるように、電子機器１Ｃの筐体３Ｃは、正面視および背面視では矩形状（本実施形態では一例として長方形状）の外観を呈している。また、筐体３Ｃは、前後方向（筐体３Ｃの厚さ方向、Ｚ方向）に薄い偏平な直方体状に構成されている。筐体３Ｃは、面３ａ（正面、前面部）とその反対側の面３ｂ（背面、面部）と、を有する。面３ａと面３ｂとは略並行して（本実施形態では一例として平行に）設けられている。また、筐体３Ｃは、正面視では、四つの端部３ｃ〜３ｆ（辺部、縁部）と、四つの角部３ｇ〜３ｊ（尖部、曲部、端部）と、を有する。端部３ｃ，３ｅは、長辺部の一例である。端部３ｄ，３ｆは、短辺部の一例である。
【００６６】
また、筐体３Ｃは、面３ａを有する壁部３ｋ（部分、プレート、フレーム、前壁部、表壁部、天壁部）と、面３ｂを有する壁部３ｍ（部分、プレート、後壁部、裏壁部、底壁部、第二壁部）と、を有する。壁部３ｋ，３ｍは、矩形状（本実施形態では一例として長方形状）である。また、筐体３Ｃは、壁部３ｋと壁部３ｍとの間に亘った面３ｐ（側面、周面）を有する四つの壁部３ｎ（部分、プレート、側壁部、端壁部、立壁部、亘部、第一壁部）を有する。そして、壁部３ｋには、一例としては矩形状の開口部３ｒが設けられている。
【００６７】
また、本実施形態では、一例として、図１６および図１７に示されるように、壁部３ｋの面３ａには、凹部３ｋ１が設けられている。凹部３ｋ１は、壁部３ｍに向かう方向に凹んで設けられている。凹部３ｋ１は、底面３ｋ２と、底面３ｋ２から凹部３ｋ１の開口縁部３ｋ３に向かって延出した面３ｋ４（周面）と、を有する。凹部３ｋ１の開口縁部３ｋ３は、開口部３ｒの開口縁部でもある。また、凹部３ｋ１には、開口部３ｒ（貫通孔）が貫通して設けられており、底面３ｋ２は、環状形状となっている。また、壁部３ｋは、凹部３ｋ１の底面３ｋ２の反対側の面３ｋ５を有している。面３ｋ５は、筐体３Ｃの内面３ｔを構成する。
【００６８】
さらに、筐体３Ｃは、複数の部品（分割体）が組み合わせられて構成されることができる。筐体３Ｃは、一例としては、少なくとも壁部３ｋを含む第一部材３Ｆｒ（第一部分、前側部材、カバー、ベゼル、フレーム）と、少なくとも壁部３ｍを含む第二部材３Ｒｒ（第二部分、後側部材、ベース、ボトム、プレート）とを有する。また、壁部３ｎは、本実施形態では、基本的には第一部材３Ｆｒの一部として構成されている。
【００６９】
また、本実施形態では、一例として、第一部材３Ｆｒは、合成樹脂材料（絶縁材料）で構成され、第二部材３Ｒｒは、金属材料で構成される。よって、本実施形態によれば、筐体３Ｃの軽量化と剛性および強度の向上とが両立されやすい。なお、このような材料（材質）の組み合わせはあくまで一例であって、他の材料の組み合わせでも構わない。例えば、第二部材３Ｒｒも合成樹脂材料で構成されてもよい。
【００７０】
また、本実施形態では、一例として、図１５，１６に示されるように、筐体３Ｃ内には、表示装置４（表示部、ディスプレイ、パネル、表示部品）が収容されている。具体的には、表示装置４の、面３ａ側に位置した表示画面４ａは、開口部３ｒを介して筐体３Ｃの前方（外方）に露出している。使用者は、前方側から開口部３ｒを介して表示画面４ａを視認することができる。表示装置４は、正面視では矩形状（本実施形態では一例として長方形状）の外観を呈している。また、表示装置４は、前後方向に薄い偏平な直方体状に構成されている。表示装置４は、例えば、液晶ディスプレイ（ＬＣＤ，Liquid  Crystal  Display）や、有機ＥＬディスプレイ（ＯＥＬＤ，Organic  Electro-Luminescent  Display）、プラズマディスプレイ（ＰＤＰ，Plasma  Display  Panel）等である。
【００７１】
また、本実施形態では、表示装置４の前側（表側、壁部３ｋ側）には、透明な比較的薄い矩形状の入力操作パネル５が設けられている。本実施形態では、入力操作パネル５は、一例として、静電容量式等のタッチパネルである。入力操作パネル５は、操作者によってタッチ操作（操作）される操作面５ａを有する。
【００７２】
また、本実施形態では、表示装置４および入力操作パネル５は、第一部材３Ｆｒに支持される。一例として、表示装置４は、壁部３ｋの凹部３ｋ１に位置されている。また、入力操作パネル５は、操作面５ａの反対側の面を表示画面４ａに重ねられて凹部３ｋ１に位置されている。操作面５ａは、開口部３ｒから露出されている。入力操作パネル５は、両面接着テープ４１（結合部、テープ、接着部材）によって、凹部３ｋ１の底面３ｋ２に接着（結合、固定）される。つまり、入力操作パネル５と底面３ｋ２との間に両面接着テープ４１が介在する。入力操作パネル５は、凹部３ｋ１の面３ｋ４と隙間１８Ｃをあけられた状態で両面接着テープ４１によって壁部３ｋ（筐体３Ｃ）に取り付けられている。本実施形態では、入力操作パネル５は、筐体３Ｃの外部に露出された部品の一例である。また、本実施形態では、壁部３ｋは、隙間１８Ｃに面した底面３ｋ２（面）を有して筐体３Ｃに設けられた壁部の一例である。また、第一部材３Ｆｒは、合成樹脂材料によって構成され入力操作パネル５との間に隙間１８Ｃをあけられた筐体部材の一例である。なお、便宜上、図１６では隙間１８Ｃが誇張して示されている。
【００７３】
また、本実施形態では、一例として、図１６，１７に示されるように、壁部３ｋ（凹部３ｋ１）には、貫通孔３ｓが設けられている。貫通孔３ｓは、一例として、複数設けられている。複数の貫通孔３ｓは、入力操作パネル５の周囲に相互に間隔をあけて設けられている。貫通孔３ｓは、筐体３Ｃの内部３ｕ（内部空間、収容室、室）に開口するとともに、後述する両面接着テープ４１の開口部４１ａに開口しており、隙間１８Ｃと筐体３Ｃの内部３ｕとを開口部４１ａを介して連通している。貫通孔３ｓは、一例として、壁部３ｋの底面３ｋ２と面３ｋ５とを貫通している。貫通孔３ｓの断面は、一例として円である。なお、貫通孔３ｓの断面は、例えば、長孔状や楕円や多角形等であってもよい。
【００７４】
また、両面接着テープ４１には、一例として、図１６，１８に示されるように、隙間１８Ｃに連通した開口部４１ａが設けられている。開口部４１ａは、一例として、切り欠きである。なお、開口部４１ａは、貫通孔であってもよい。開口部４１ａは、各貫通孔３ｓに対応して複数設けられている。開口部４１ａは、対応する貫通孔３ｓに連通している。
【００７５】
また、本実施形態では、一例として、図１６に示されるように、壁部３ｋの面３ｋ５を含む筐体３Ｃの内面３ｔには、導電体１９（導電層、導電膜、金属層、金属膜、金属部）が設けられている。導電体１９は、シート状に設けられている。詳細には、本実施形態では、導電体１９は、金属シート（シート）によって構成されており、接着等によって内面３ｔに固定される。なお、導電体１９は、上記各実施形態と同様にスパッタリングによって設けられた層であってもよい。また、導電体１９は、筐体３Ｃの内面３ｔに接している。導電体１９は、一例として、貫通孔３ｓに臨んで設けられている。導電体１９には、貫通孔３ｓと連通した貫通孔１９ａが設けられている。導電体１９は、一例として、内面３ｔに部分的に設けられている。なお、導電体１９は、内面３ｔの全域に設けられていてもよい。導電体１９は、導電性材料によって構成されて、導電性を有している。導電性材料は、例えばアルミニウム等の金属材料である。
【００７６】
導電体１９は、一例として、外部電源ケーブルと接続される電源端子部のグラウンド端子２０（図１５参照）に電気的に接続される。グラウンド端子２０は、基準電位点（グラウンド部）の一例である。導電体１９は、例えば、導電部材等を介してグラウンド端子２０に電気的に接続されうる。また、本実施形態では、導電体１９は、筐体３Ｃに収容されたバッテリのコネクタのグラウンドピンにも接続される。グラウンドピンは、基準電位点（グラウンド部）の一例である。導電体１９は、例えば、導電部材等を介してグラウンドピンに電気的に接続されうる。本実施形態では、電源端子部に外部電源ケーブルが接続されていない場合は、グラウンドピンに静電気が移動する。
【００７７】
また、本実施形態では、一例として、筐体３Ｃ内には、表示装置４の後側（裏側、背後側、壁部３ｍ側、表示画面４ａとは反対側）に、回路基板１７等の複数の部品（素子、電子部品、電気部品）が収容されている。回路基板１７（基板、制御基板、メイン基板、電気部品）に実装された部品等によって、制御回路（図示されず）の少なくとも一部が構成されている。制御回路は、例えば、映像信号処理回路や、チューナ部、ＨＤＭＩ（high-definition  multimedia  interface）信号処理部、ＡＶ（audio  video）入力端子、リモコン信号受信部、制御部、セレクタ、オンスクリーンディスプレイインタフェース、記憶部（例えば、ＲＯＭ（read  only  memory）、ＲＡＭ（random  access  memory）、ＨＤＤ（hard  disk  drive）等）、音声信号処理回路等を、含むことができる。制御回路は、表示装置４の表示画面４ａでの映像（動画や静止画等）の出力や、スピーカ（図示されず）での音声の出力、ＬＥＤ（light  emitting  diode、図示されず）での発光等を制御する。表示装置４や、スピーカ、ＬＥＤ等は、出力部の一例である。回路基板１７には、表示装置４が電気的に接続されている。
【００７８】
また、本実施形態では、一例として、筐体３Ｃ内には、回路基板１７の他に、例えば、バッテリ（セル、組電池）や、カメラモジュール（カメラユニット、カメラアセンブリ、撮像装置）、スピーカモジュール（スピーカユニット、スピーカアセンブリ、音声出力装置）、コネクタモジュール（コネクタユニット、コネクタアセンブリ、コネクタ装置）、アンテナモジュール（アンテナユニット、アンテナアセンブリ、アンテナ装置）、振動発生部（回転シャフトに偏心錘が取り付けられたモータ）等が収容されている。これら電気部品は、配線（ケーブル、フレキシブルケーブル、フレキシブルプリント配線板等）を介して、それぞれ回路基板１７や他の電気部品と電気的に接続されている。
【００７９】
以上の構成の電子機器１Ｃにおいて、例えば、入力操作パネル５の操作面５ａ（図１６）に帯電した静電気は、隙間１８Ｃへ向かって移動して、隙間１８Ｃに進入し、貫通孔３ｓを介して導電体１９へ移動する。即ち、本実施形態では、貫通孔３ｓが、静電気を導電体１９へ案内（誘導）する案内経路（誘導経路）として機能する。図１６中の矢印２１Ｃは、静電気の移動経路の一例を模式的に示している。また、本実施形態では、導電体１９へ移動した静電気は、グラウンド端子２０やグラウンドピンへ移動する。
【００８０】
以上説明したとおり、本実施形態では、筐体３Ｃと入力操作パネル５との間の隙間１８Ｃに面した面３ｋ２に、隙間１８Ｃと筐体３Ｃの内部３ｕとを連通した貫通孔３ｓが設けられ、導電体１９が筐体３Ｃの内面３ｔに接して設けられている。したがって、本実施形態によれば、一例として、入力操作パネル５の操作面５ａに帯電した静電気が、隙間１８Ｃおよび貫通孔３ｓを介して導電体１９へ移動するので、操作面５ａから静電気を除去することができる。よって、本実施形態によれば、入力操作パネル５に対する静電気による影響を低減することができる。
【００８１】
＜第５実施形態＞
本実施形態では、一例として、図１９に示されるように、電子機器１Ｃの両面接着テープ４１が第４実施形態と異なる。なお、他の部位は、第４実施形態の電子機器１Ｃと同様である。本実施形態では、両面接着テープ４１が複数設けられており、各両面接着テープ４１は、相互に間隔をあけて設けられている。そして、隣り合う両面接着テープ４１間から貫通孔３ｓが露出する。
【００８２】
以上の本実施形態にかかる電子機器１Ｃにおいても、上記第４実施形態にかかる電子機器１Ｃと同様の構成を有することによる同様の効果が得られる。
【００８３】
以上のとおり、上記各実施形態によれば、静電気によるテレビジョン受像機１Ａ、電子機器１Ｂ，１Ｃへの影響をより低減できる。
【００８４】
以上、本発明の実施形態を例示したが、上記実施形態はあくまで一例であって、発明の範囲を限定することは意図していない。これら実施形態は、その他の様々な形態で実施されることが可能であり、発明の要旨を逸脱しない範囲で、種々の省略、置き換え、組み合わせ、変更を行うことができる。上記実施形態は、発明の範囲や要旨に含まれるとともに、特許請求の範囲に記載された発明とその均等の範囲に含まれる。また、各実施形態の構成や形状は、部分的に入れ替えて実施することも可能である。また、各構成や形状等のスペック（構造や、種類、方向、形状、大きさ、長さ、幅、厚さ、高さ、数、配置、位置、材質等）は、適宜に変更して実施することができる。
【符号の説明】
【００８５】
１Ａ…テレビジョン受像機（電子機器）、１Ｂ，１Ｃ…電子機器、３Ａ，３Ｂ，３Ｃ…筐体（第一筐体）、３Ｆｒ…第一部材（筐体部材）、３Ｌｗ，３Ｒｒ…第二部材（筐体部材）、３ｋ…壁部、３ｍ…壁部、３ｋ２…底面（面）、３ｓ２…拡径部、３ｔ…内面、５…入力操作パネル（部品）、１１…モジュール（第一電気部品）、１１ａ…筐体（導電部）、１１ｂ…回路基板（導電部）、１５…覆部材（部品）、１６…収容部、１６ｄ…底面（面）、１７…回路基板（第二電気部品）、１８Ａ，１８Ｂ，１８Ｃ…隙間、１８ａ…端部、１９…導電体、２０…グラウンド端子（基準電位点）、３０…バッテリ、３０ａ…筐体（第二筐体、部品）、３０ｂ…コネクタ（導電部）、３０ｃ１…グラウンドピン（基準電位点）、３１ｃ…面、３１ｅ…壁部。
【図１】
2014216933.tif 000003
【図２】
2014216933.tif 000004
【図３】
2014216933.tif 000005
【図４】
2014216933.tif 000006
【図５】
2014216933.tif 000007
【図６】
2014216933.tif 000008
【図７】
2014216933.tif 000009
【図８】
2014216933.tif 000010
【図９】
2014216933.tif 000011
【図１０】
2014216933.tif 000012
【図１１】
2014216933.tif 000013
【図１２】
2014216933.tif 000014
【図１３】
2014216933.tif 000015
【図１４】
2014216933.tif 000016
【図１５】
2014216933.tif 000017
【図１６】
2014216933.tif 000018
【図１７】
2014216933.tif 000019
【図１８】
2014216933.tif 000020
【図１９】
2014216933.tif 000021